(57)【特許請求の範囲】
【請求項１】
接点を開閉する駆動力を提供する気中遮断器の開閉機構に設置され、スイッチ作動力を受けるために前記開閉機構内に延びるレバーを有し、前記気中遮断器の投入操作が可能な状態であることを示す電気的信号を発し、前記電気的信号を遠隔地に伝送するための信号伝送端子を有するマイクロスイッチと、
前記気中遮断器において、前記接点開閉駆動のための弾性エネルギーを提供する投入スプリングが弾性エネルギーを蓄積した状態で、かつ前記気中遮断器が遮断位置であるときにのみ前記マイクロスイッチが前記電気的信号を発するように、前記マイクロスイッチのレバーを加圧する位置に配置されるオンカップリングと
を含むことを特徴とする気中遮断器用投入作動可能表示装置。
【請求項２】
前記オンカップリングは、前記マイクロスイッチのレバーを加圧できるように前記マイクロスイッチのレバーに対向して設置されるスイッチ作動部を有することを特徴とする請求項１に記載の気中遮断器用投入作動可能表示装置。
【請求項３】
電気的絶縁材で形成され、前記マイクロスイッチを内蔵するスイッチケースをさらに含み、
前記スイッチケースは、
一面が開放されて前記マイクロスイッチを内蔵し、前記開閉機構に固定されるケース本体と、
前記ケース本体の開放された面を開閉するドアとを備えることを特徴とする請求項１に記載の気中遮断器用投入作動可能表示装置。
【請求項４】
前記スイッチケースは、
前記ドアと前記ドアに対応する前記ケース本体に、前記ドアが閉じた状態を維持するためのロック機構を備えることを特徴とする請求項３に記載の気中遮断器用投入作動可能表示装置。
【請求項５】
前記ロック機構は、
前記ドア又は前記ケース本体に互いに対応して備えられるロック突部と、前記ロック突部が挿入されるロック溝部又はロック開口部とから構成されることを特徴とする請求項４に記載の気中遮断器用投入作動可能表示装置。
【請求項６】
前記ドアと前記ケース本体は、
前記ドアの回動開閉のためのヒンジ部としてスイッチケースの他の部分より薄いチャンファー部により接続されることを特徴とする請求項３に記載の気中遮断器用投入作動可能表示装置。
【請求項７】
前記ケース本体は、
前記スイッチケースを前記開閉機構上に固定して設置するために、前記ケース本体の底面部から下部に延びて備えられる挿入固定突部と、
前記ケース本体の底面部から水平に延びるネジ固定突部とを含むことを特徴とする請求項３に記載の気中遮断器用投入作動可能表示装置。
【請求項８】
前記ケース本体は、
前記ドアが閉じた状態で前記マイクロスイッチのレバーが外部に突出することを可能にするレバー用開口壁部と、
前記マイクロスイッチの信号伝送端子に接続される信号線の引き込みを可能にする信号線引込用開口壁部とを備えることを特徴とする請求項３に記載の気中遮断器用投入作動可能表示装置。
【請求項９】
回路に接続される固定接触子と、前記固定接触子に接触して回路を通電させる投入位置及び前記固定接触子から分離されて回路の通電を遮断する遮断位置に移動する可動接触子と、蓄積された弾性エネルギーを放出することにより前記可動接触子に前記投入位置への移動のための駆動力を提供する投入スプリングと、前記投入スプリングの放出エネルギーを前記可動接触子に伝達する開閉機構と、前記投入スプリングの蓄勢状態を維持するために前記開閉機構を拘束する拘束位置及び蓄積された前記投入スプリングの弾性エネルギーが放出されるように前記開閉機構を解除する解除位置に移動する投入ラッチと、前記投入ラッチに接触して前記投入ラッチを解除位置に移動させるように回転駆動するオンレバーと、手動で投入動作を指示するための投入ボタンと、前記投入ボタンに接触して前記オンレバーを回転させるように駆動するオンカップリングとを備える気中遮断器において、
前記オンレバーに接触する位置に移動する前記オンカップリングの移動経路上に設置され、前記投入スプリングが弾性エネルギーを蓄積した状態で、かつ前記可動接触子が遮断位置にあるときに、前記オンレバーに接触する位置に移動する前記オンカップリングに接触するレバーを用いて前記気中遮断器の投入操作が可能な状態であることを示す電気的信号を発するマイクロスイッチと、
前記投入スプリングが弾性エネルギーを蓄積した状態で、かつ前記可動接触子が遮断位置にあるときに、前記マイクロスイッチが前記電気的信号を発するように前記マイクロスイッチのレバーを加圧するために前記オンカップリングに取り付けられるスイッチ作動部と
を含むことを特徴とする投入作動可能表示装置を有する気中遮断器。
【請求項１０】
前記スイッチ作動部は、前記マイクロスイッチのレバーに対向する位置に設置され、前記マイクロスイッチの駆動に十分な前記マイクロスイッチのレバーの加圧距離だけ前記オンカップリングから突出する突出部であることを特徴とする請求項９に記載の投入作動可能表示装置を有する気中遮断器。
【請求項１１】
前記開閉機構の上部板に設置され、電気的絶縁材で形成され、前記マイクロスイッチを内蔵し、開閉可能なドアを有するスイッチケースをさらに含むことを特徴とする請求項９に記載の投入作動可能表示装置を有する気中遮断器。
【発明の詳細な説明】
【技術分野】
【０００１】
本発明は、気中遮断器に関し、特に、遠距離にいる使用者に又は配電盤のドアに気中遮断器の投入動作が可能な状態であることを通知するための気中遮断器用投入作動可能表示装置及びこれを有する気中遮断器に関する。
【背景技術】
【０００２】
気中遮断器には、開閉機構により回路を通電（投入）させる接点接続（接触）状態として、気中遮断器をオン状態に駆動する４つの状態が存在する。すなわち、気中遮断器の開閉機構には、第１に、接点が分離（開放）されたオフ状態で、投入スプリングが蓄勢された状態、第２に、接点が分離（開放）されたオフ状態で、投入スプリングが放勢された状態、第３に、接点が接触（接続）されたオン状態で、投入スプリングが蓄勢された状態、第４に、接点が接触（接続）されたオン状態で、投入スプリングが放勢された状態の４つの状態が存在する。気中遮断器の開閉機構は、これら４つの状態のうち、接点が分離（開放）されたオフ状態で、投入スプリングが蓄勢された第１の状態でのみ投入動作が行える。
【０００３】
以下、このような気中遮断器における開閉機構の４つの状態を図面を参照して説明する。
【０００４】
図６は、一般の気中遮断器が遮断状態で、投入スプリングが放勢状態であることを示す動作状態図である。
【０００５】
図６に示す気中遮断器の開閉装置の構成は、開閉機構１０と、開閉機構１０により投入位置又は遮断位置に駆動される可動接触子３３と、可動接触子３３に対向して所定距離離隔した位置に固定設置され、固定接触子に該当する上部ターミナル３４ａとから構成される。下部ターミナル３４ｂは、その接続部分を図示していないが、可動接触子３３と機械的及び電気的に常に接続しているターミナルである。
【０００６】
図６において、符号１１は、投入スプリングであり、ドライブレバー１６にスプリングシートの一方の側が接触するように設置され、ドライブレバー１６により圧縮されて弾性エネルギーを蓄積する。
【０００７】
符号１２は、カムであり、カム軸（CAM SHAFT）（符号なし）を介して電動又は手動で回転できる。カム１２は、ドライブレバー１６に取り付けられたドライブレバーローラ１９に接触してカム１２の変化する外周面による圧力をドライブレバー１６に提供することにより、ドライブレバー１６が投入スプリング１１を蓄勢させるように駆動する。
【０００８】
符号１３は、投入ラッチ（closing latch）であり、投入スプリング１１の蓄勢状態を維持する手段である。すなわち、投入ラッチ１３は、オンレバー１４により拘束されることにより投入スプリング１１の蓄勢状態を維持する。
【０００９】
符号１７は、オンカップリング（ON coupling）であり、投入ボタン（図示せず）により又は自動投入操作のための投入ソレノイドにより加圧されてオンレバー１４を投入ラッチ１３の解除位置に回動させる手段である。
【００１０】
符号１５は、リンク機構であり、投入スプリング１１が蓄積した弾性エネルギーを放出するとき、ドライブレバー１６に接触してドライブレバー１６により加圧されて図６における反時計方向に回転し、可動部レバー３１に接続されて可動部レバー３１を投入方向に駆動する。
【００１１】
符号１８は、可動部レバー３１の回転経路上の所定位置に設置されて可動部レバー３１及び主軸３０の回転を制限する主軸ストッパである。
【００１２】
符号２１は、開閉機構１０の手動遮断又は自動遮断、すなわち、トリップ動作時、開閉軸である主軸３０に遮断方向の回動エネルギーを提供する遮断スプリングである。
【００１３】
符号２２は、遮断スプリング２１の弾性エネルギーの蓄積状態を維持するように拘束するための遮断ラッチ（open latch）である。ここで、遮断ラッチ２２の拘束動作は、遮断ラッチ２２を拘束又は解除可能に接触している遮断レバー２３により可能である。
【００１４】
符号３２は、可動部レバー３１と可動接触子３３との間に接続され、可動部レバー３１からの開閉駆動力を可動接触子３３に伝達する連結リンクである。
【００１５】
図６は、一般の気中遮断器が遮断状態で、投入スプリングが放勢状態であることを示す動作状態図であり、図８のように投入された状態の気中遮断器は、例えばオフボタン（図示せず）を押すことにより遮断レバー２３が連動して回転するので、手動操作で図６のような遮断状態に動作することができる。また、気中遮断器は、回路の異常電流の通電状態を監視してトリップ制御信号を発する過電流トリップ継電器（Over Current Trip Relay：ＯＣＲ）と、前記トリップ制御信号に応答して遮断レバー２３を加圧する機械的トリガ信号を提供するアクチュエータとにより自動で図６のような遮断状態に動作することもできる。
【００１６】
このような遮断動作について説明すると、図８のような投入状態で、前述したように手動又は自動で遮断レバー２３を回転させると、遮断レバー２３により拘束されていた遮断ラッチ２２が解除されて可動部レバー３１の拘束が解除される。従って、遮断スプリング２１が弾性エネルギーを放出して引っ張られた状態から元の状態に縮むと、遮断スプリング２１に接続された可動部レバー３１が主軸３０とともに反時計方向に回転する。その後、連結リンク３２により可動部レバー３１に接続された可動接触子３３が後退（図６の右側に移動）して固定接触子に該当する上部ターミナル３４ａから分離されると、回路が遮断されて図６のような状態となる。
【００１７】
図７は、一般的な気中遮断器が遮断状態で、投入スプリングが蓄勢状態であることを示す動作状態図である。このような動作状態は、図６のように気中遮断器が遮断状態に動作した後、投入スプリングを蓄勢した状態である。
【００１８】
気中遮断器が投入状態から遮断状態になる動作は図６を参照して説明したので、以下、投入スプリングの蓄勢動作についてのみ説明する。
【００１９】
使用者が気中遮断器の前面部に備えられたチャージングハンドル（図示せず）を利用して（手動）、又は、別途の電動機（図示せず）を利用して前記カム１２のカム軸を回転させると、前記カムの外周面に接触する前記ドライブレバーローラ１９によりドライブレバー１６が図の時計方向に回転する。従って、ドライブレバー１６の一端にスプリングシートにより接続された投入スプリング１１が前記スプリングシートにより圧縮されて弾性エネルギーを蓄積する。従って、図７に示すように、気中遮断器が遮断状態で、投入スプリングが蓄勢された状態となる。
【００２０】
図８は、一般的な気中遮断器が投入状態で、投入スプリングが放勢状態であることを示す動作状態図である。このような状態は、図７に示すように気中遮断器が遮断状態で、投入スプリングが蓄勢された状態から投入スプリングを放勢するときに可能な状態である。従って、図７のような状態で、オンボタン（図示せず）により手動で、又は、投入ソレノイド（図示せず）により自動でオンカップリング１７を図７の右側に押すと、オンカップリング１７の加圧によりオンレバー１４が時計方向に回転する。これにより、オンレバー１４により拘束されていた投入ラッチ１３が解除されて投入ラッチ１３により蓄勢状態を維持していた投入スプリング１１が蓄積された弾性エネルギーを放出する。そうすると、放出された弾性エネルギーにより、ドライブレバー１６が反時計方向に回転し、これにより、ドライブレバー１６に接続されたリンク機構１５が可動部レバー３１を主軸３０とともに時計方向に回転させる。従って、連結リンク３２により図の左方向、すなわち、固定接触子方向に加圧される可動接触子３３が図７の左側に移動して、図８のように固定接触子に該当する上部ターミナル３４ａに接触した状態となり、ここで、電気的には閉回路となって回路上に電流が通電できる。
【００２１】
図９は、一般的な気中遮断器が投入状態で、投入スプリングが蓄勢状態であることを示す動作状態図である。このような状態は、図８に示す状態のように投入動作が行われた後、投入スプリングを再び蓄勢した状態である。投入動作及び投入スプリングの蓄勢動作は、前述したとおりであるので、詳しい説明は省略する。
【００２２】
図１０は、従来の気中遮断器のオンカップリングの全体的外形を示す斜視図である。図１０に示すように、従来の気中遮断器のオンカップリング１７は、前面（図の左側部）にオンレバー１４を加圧して回動させるための作用部であるオンレバー接触部６０ｂを備え、長手方向の中央上部にバイアススプリング係止部６０ａを備える。ここで、バイアススプリング係止部６０ａは、オンカップリング１７を気中遮断器の前面側に移動させる弾性力を提供するバイアススプリングの一端部を係止する（掛けて支持する）部分である。
【発明の開示】
【発明が解決しようとする課題】
【００２３】
前述したように構成されて動作する気中遮断器の動作状態について、従来は、投入動作が可能である状態を通知する手段が存在しなかった。従って、一般的に気中遮断器は、接点が接触した投入状態で、投入スプリングも蓄勢された図９のような状態では、機構的な連動構成により投入動作が不可能であるが、このような気中遮断器の特性を知らない使用者は、投入ボタンを押して投入動作を指示する可能性がある。このような場合、投入動作が行われないので、気中遮断器が故障していると誤認する。
【００２４】
従って、使用者に投入動作が可能な状態であることを通知する必要があり、使用者が気中遮断器から遠距離にいるか、または気中遮断器が配電盤内に内蔵されている場合に、配電盤の外部ドアに気中遮断器が投入動作可能状態であるか否かを通知する投入作動可能表示装置の設置が要求される。
【００２５】
本発明の目的は、使用者が気中遮断器から遠距離にいるか、または気中遮断器が配電盤内に内蔵されている場合に、気中遮断器の投入動作が可能な状態であるか否かを通知する気中遮断器用投入作動可能表示装置及びこれを有する気中遮断器を提供することにある。
【課題を解決するための手段】
【００２６】
このような目的を達成するために、本発明は、接点を開閉する駆動力を提供する気中遮断器の開閉機構に設置され、スイッチ作動力を受けるために前記開閉機構内に延びるレバーを有し、前記気中遮断器の投入操作が可能な状態であることを示す電気的信号を発し、前記電気的信号を遠隔地に伝送するための信号伝送端子を有するマイクロスイッチと、前記気中遮断器において、前記接点開閉駆動のための弾性エネルギーを提供する投入スプリングが弾性エネルギーを蓄積した状態で、かつ前記気中遮断器が遮断位置であるときにのみ前記マイクロスイッチが前記電気的信号を発するように、前記マイクロスイッチのレバーを加圧する位置に配置されるオンカップリングとを含む気中遮断器用投入作動可能表示装置を提供する。
【００２７】
また、このような目的を達成するために、本発明は、回路に接続される固定接触子と、前記固定接触子に接触して回路を通電させる投入位置及び前記固定接触子から分離されて回路の通電を遮断する遮断位置に移動する可動接触子と、蓄積された弾性エネルギーを放出することにより前記可動接触子に前記投入位置への移動のための駆動力を提供する投入スプリングと、前記投入スプリングの放出エネルギーを前記可動接触子に伝達する開閉機構と、前記投入スプリングの蓄勢状態を維持するために前記開閉機構を拘束する拘束位置及び蓄積された前記投入スプリングの弾性エネルギーが放出されるように前記開閉機構を解除する解除位置に移動する投入ラッチと、前記投入ラッチに接触して前記投入ラッチを解除位置に移動させるように回転駆動するオンレバーと、手動で投入動作を指示するための投入ボタンと、前記投入ボタンに接触して前記オンレバーを回転させるように駆動するオンカップリングとを備える気中遮断器において、前記オンレバーに接触する位置に移動する前記オンカップリングの移動経路上に設置され、前記投入スプリングが弾性エネルギーを蓄積した状態で、かつ前記可動接触子が遮断位置にあるときに、前記オンレバーに接触する位置に移動する前記オンカップリングに接触するレバーを用いて前記気中遮断器の投入操作が可能な状態であることを示す電気的信号を発するマイクロスイッチと、前記投入スプリングが弾性エネルギーを蓄積した状態で、かつ前記可動接触子が遮断位置にあるときに、前記マイクロスイッチが前記電気的信号を発するように前記マイクロスイッチのレバーを加圧するために前記オンカップリングに取り付けられるスイッチ作動部とを含む投入作動可能表示装置を有する気中遮断器を提供する。
【発明の効果】
【００２８】
本発明は、使用者が気中遮断器から遠距離にいるか、または気中遮断器が配電盤内に内蔵されている場合に、気中遮断器の投入動作が可能な状態であるか否かを通知できるという効果がある。
【発明を実施するための最良の形態】
【００２９】
本発明の目的とこれを達成する本発明の構成及びそれによる作用効果を添付図面を参照して説明することにより、本発明がより明確に理解できるであろう。
【００３０】
以下、図１〜図５を参照して、本発明による気中遮断器用投入作動可能表示装置について説明する。
【００３１】
本発明による気中遮断器用投入作動可能表示装置は、図１〜図５に示すように、マイクロスイッチ７２及びオンカップリング６０から構成される。マイクロスイッチ７２は、接点を開閉する駆動力を提供する気中遮断器１の開閉機構１０上に設置される。スイッチ作動力を受けるために、マイクロスイッチ７２は、開閉機構１０内に延びるレバー７１を有する。さらに、マイクロスイッチ７２は、気中遮断器１の投入操作が可能な状態であることを示す電気的信号を発し、前記電気的信号を遠隔地に伝送するために、信号伝送端子７５ａ、７５ｂを有する。
【００３２】
オンカップリング６０は、気中遮断器１において、前記接点開閉駆動のための弾性エネルギーを提供する投入スプリング１１が弾性エネルギーを蓄積した状態で、気中遮断器１が遮断位置にあるときにのみマイクロスイッチ７２が前記電気的信号を発するように、マイクロスイッチ７２のレバー７１を加圧する位置に配置される。また、オンカップリング６０には、マイクロスイッチ７２のレバー７１を加圧するために、マイクロスイッチ７２のレバー７１に対向してスイッチ作動部６１が備えられる。
【００３３】
図２及び図３に示すように、本発明による気中遮断器用投入作動可能表示装置は、電気的絶縁材で形成され、マイクロスイッチ７２を内蔵するスイッチケースをさらに含む。
【００３４】
前記スイッチケースは、一面が開放されてマイクロスイッチ７２を内蔵し、開閉機構１０に固定されるケース本体７３と、ケース本体７３の前記開放された一面を開閉するドア７６とを含む。
【００３５】
また、前記スイッチケースは、ドア７６とそのドア７６に対応するケース本体７３に、ドア７６が閉じた状態を維持するためのロック機構７３ｂ１〜７３ｂ３、７６ａ１〜７６ａ３、７６ｃ、７３ｄを備える。
【００３６】
ロック機構７３ｂ１〜７３ｂ３、７６ａ１〜７６ａ３、７６ｃ、７３ｄは、ドア７６又はケース本体７３に互いに対応して備えられるロック突部７３ｂ１〜７３ｂ３、７６ｃと、ロック突部７３ｂ１〜７３ｂ３、７６ｃが挿入されるロック溝部７３ｄ又はロック開口部７６ａ１〜７６ａ３とから構成される。
【００３７】
一の実施形態においては、ロック突部７３ｂ１〜７３ｂ３、７６ｃは、ロック開口部７６ａ１〜７６ａ３に対応して形成されるロック突部７３ｂ１〜７３ｂ３と、ドア７６の下端部に備えられる下部ロック突部７６ｃとを含む。ここで、ロック開口部７６ａ１〜７６ａ３は、ドア７６のヒンジの反対側の端辺に隣接して、上、中、下の３箇所に形成される。
【００３８】
マイクロスイッチ７２は、対角線方向の上下の２箇所に２つのネジ挿入口を有し、前記２つのネジ挿入口にそれぞれ固定ネジが挿入されてマイクロスイッチ７２をスイッチケース７３に固定する。ここで、符号７２ａ１及び７２ａ２は、上部及び下部の固定ネジ頭を示す。
【００３９】
ドア７６には、ドア７６が閉じた状態でも前記固定ネジを挿入できるように、前上部固定ネジ挿入口部７６ｂ１及び下部固定ネジ挿入口部７６ｂ２が備えられる。
【００４０】
図３に示すように、ドア７６とケース本体７３は、ドア７６の回動開閉のためのヒンジ部として、スイッチケースの他の部分より薄いチャンファー（chamfer）部７７により接続される。
【００４１】
また、ケース本体７３は、図２に示すように、スイッチケースを開閉機構（図４及び図５の符号１０を参照）上に固定して設置するために、ケース本体７３の底面部から下方に延びる挿入固定突部７４と、ケース本体７３の底面部から水平に延びるネジ固定突部７３ａとを含む。ネジ固定突部７３ａの中央には、ネジ孔７３ａ１が備えられる。
【００４２】
また、ケース本体７３は、ドア７６の閉じた状態でもマイクロスイッチ７２のレバー７１が外部に突出できるようにするレバー用開口壁部７３ｅと、マイクロスイッチ７２の信号伝送端子７５ａ、７５ｂに接続される信号線（図示せず）の引き込みを可能にする信号線引込用開口壁部７３ｃとを備える。
【００４３】
図３は、本発明による気中遮断器用投入作動可能表示装置の主要構成要素として、ドア７６が開いた状態のスイッチケースを上から見た平面図である。
【００４４】
図３から、前記ロック機構とネジ固定突部７３ａの水平方向の突出程度及び相対位置を確認できる。
【００４５】
以下、図４及び図５を参照して、本発明による投入作動可能表示装置を有する気中遮断器１の構成及び作用について説明する。
【００４６】
本発明による気中遮断器１は、回路に接続される固定接触子と、前記固定接触子に接触して回路を通電させる投入位置及び前記固定接触子から分離されて回路の通電を遮断する遮断位置に移動可能な可動接触子とを含む。
【００４７】
前記固定接触子及び前記可動接触子は、気中遮断器において周知であるので、図示及び説明は省略する。図４及び図５において、前記固定接触子は、隣接する相別絶縁隔壁１ａ〜１ｄ間の後方共通絶縁壁２上に固定して設置され、前記可動接触子は、隣接する相別絶縁隔壁１ａ〜１ｄ間に可動するように設置される。
【００４８】
本発明による気中遮断器１は、蓄積された弾性エネルギーを放出するときに前記可動接触子に前記投入位置への移動のための駆動力を提供する投入スプリング１１と、投入スプリング１１の放出エネルギーを前記可動接触子に伝達する開閉機構１０と、投入ラッチ１３と、オンレバー（図９の符号１４を参照）と、投入ボタン（図示せず）と、オンカップリング６０とを含む。
【００４９】
投入スプリング１１の蓄勢状態を維持するために、投入ラッチ１３は、開閉機構１０を拘束する拘束位置と投入スプリング１１の弾性エネルギーを放出するように開閉機構１０を解除する解除位置とに移動する。
【００５０】
オンレバー（図９の符号１４を参照）は、投入ラッチ１３に接触して投入ラッチ１３が解除位置に移動するように回転する。
【００５１】
投入ボタン（図示せず）は、手動で投入動作を行うために備えられる手段である。
【００５２】
オンカップリング６０は、前記投入ボタンに接触して前記オンレバーが回転するように駆動される。
【００５３】
本発明による気中遮断器は、特徴的な構成要素として、マイクロスイッチ７２とオンカップリング６０に取り付けられるスイッチ作動部６１とを含む。マイクロスイッチ７２は、オンレバー（図９の符号１４を参照）に接触する位置に移動するオンカップリング６０の移動経路上に設置される。また、マイクロスイッチ７２は、投入スプリング１１が弾性エネルギーを蓄積した状態で、前記可動接触子が遮断位置にあるとき、前記オンレバーに接触する位置に移動するオンカップリング６０に接触するレバー７１を有する。さらに、マイクロスイッチ７２は、前記気中遮断器が投入操作可能な状態であることを示す電気的信号を発する。
【００５４】
オンカップリング６０は、投入スプリング１１が弾性エネルギーを蓄積した状態で、かつ前記可動接触子が遮断位置にあるときに、マイクロスイッチ７２が前記電気的信号を発するようにマイクロスイッチ７２のレバー７１を加圧するスイッチ作動部６１を有する。
【００５５】
図４に示すように、スイッチ作動部６１は、マイクロスイッチ７２のレバー７１に対向する位置に設置され、マイクロスイッチ７２の駆動に十分なマイクロスイッチ７２のレバー７１の加圧距離だけ突出する突出部である。すなわち、スイッチ作動部６１は、マイクロスイッチ７２の内部電気的接点が開路又は閉路されて、前記気中遮断器が投入可能な状態であることを遠隔地に又は配電盤のドア部に伝達する電気的信号を発生できるようにマイクロスイッチ７２のレバー７１を駆動できる程度に、予め決定された長さだけオンカップリング６０からマイクロスイッチ７２のレバー７１に向かって突出する。
【００５６】
本発明による気中遮断器は、開閉機構１０の上部板８０に設置され、電気的絶縁材で形成され、マイクロスイッチ７２を内蔵し、開閉可能なドア７６を有するスイッチケースをさらに含む。
【００５７】
図４及び図５に示すスイッチケースの詳細な構成は、図２及び図３を参照して前述したので省略する。
【００５８】
図５において、符号８１は、開閉機構１０の上部板８０に備えられるマイクロスイッチ７２のレバー７１を挿入できるレバー挿入口部を示す。符号８２は、前記スイッチケースのケース本体７３の底面に備えられた下部ロック突部７４が挿入されて前記スイッチケースを開閉機構１０の上部板８０上に固定する下部ロック突部挿入口部を示す。符号８３は、図２に示すケース本体７３の底面から水平に延びて形成されたネジ固定突部７３ａに備えられたネジ挿入口７３ａ１に連通し、固定ネジを挿入して前記スイッチケースを固定するネジ挿入口部を示す。
【００５９】
以下、図４を参照して、このように構成される本発明による気中遮断器用投入作動可能表示装置及びこれを有する気中遮断器の動作について説明する。
【００６０】
図７及び図４に示すように、気中遮断器が遮断状態で、かつ投入スプリングが弾性エネルギーを蓄積した状態である場合に、オンカップリング（図７における符号１７及び図４における符号６０を参照）が図７に示すようにオンレバー１４に接触する位置に移動する。この位置に移動してオンカップリング６０のスイッチ作動部６１がマイクロスイッチ７２のレバー７１を加圧してマイクロスイッチ７２を動作させることにより、マイクロスイッチ７２は、内部の接点（図示せず）が開路又は閉路される。従って、マイクロスイッチ７２は、気中遮断器の投入動作が可能であることを示す投入可能信号を発生する。このような投入可能信号は、信号伝送端子７５ａ、７５ｂから遠隔地に又は配電盤のドア（前面操作及び表示部）に伝送され、例えば、ランプ、ブザーなどを駆動することにより、気中遮断器の投入動作が可能であることを使用者に通知できる。
【図面の簡単な説明】
【００６１】
【図１】本発明による気中遮断器用投入作動可能表示装置の主要構成要素として、オンカップリングの全体的外形を示す斜視図である。
【図２】本発明による気中遮断器用投入作動可能表示装置の主要構成要素として、マイクロスイッチとこれを内蔵するスイッチケースの構成を示す斜視図である。
【図３】本発明による気中遮断器用投入作動可能表示装置の主要構成要素として、ドアが開放された状態のスイッチケースを上から見た平面図である。
【図４】本発明による気中遮断器用投入作動可能表示装置とこれを有する気中遮断器の構成を示す斜視図である。
【図５】本発明による気中遮断器用投入作動可能表示装置を気中遮断器の開閉機構の上部板に固定して設置するための構成を示す斜視図である。
【図６】一般的な気中遮断器が遮断状態で、投入スプリングが放勢状態であることを示す動作状態図である。
【図７】一般的な気中遮断器が遮断状態で、投入スプリングが蓄勢状態であることを示す動作状態図である。
【図８】一般的な気中遮断器が投入状態で、投入スプリングが放勢状態であることを示す動作状態図である。
【図９】一般的な気中遮断器が投入状態で、投入スプリングが蓄勢状態であることを示す動作状態図である。
【図１０】従来の気中遮断器のオンカップリングの全体的外形を示す斜視図である。
【符号の説明】
【００６２】
１    気中遮断器
１０    開閉機構
１１    投入スプリング
１３    投入ラッチ
１４    オンレバー
３４    可動接触子
３４ａ    上部ターミナル
１７，６０    オンカップリング
６１    スイッチ作動部
７１    スイッチレバー
７２    マイクロスイッチ
７３    ケース本体
７３ｂ１〜７３ｂ３，７６ｃ    ロック突部
７３ｄ    ロック溝部
７３ａ    ネジ固定突部
７３ｅ    レバー用開口壁部
７３ｃ    信号線引込用開口壁部
７４    挿入固定突部
７６ａ１〜７６ａ３    ロック開口部
７５ａ，７５ｂ    信号伝送端子
７６    ドア
７７    チャンファー部
【図１】
0004567772.tif 000002
【図２】
0004567772.tif 000003
【図３】
0004567772.tif 000004
【図４】
0004567772.tif 000005
【図５】
0004567772.tif 000006
【図６】
0004567772.tif 000007
【図７】
0004567772.tif 000008
【図８】
0004567772.tif 000009
【図９】
0004567772.tif 000010
【図１０】
0004567772.tif 000011